(57)【要約】      （修正有）【課題】安価で作業性をよくする。【解決手段】分岐及び分配器1において，本体１０の１つの面に同じ方向を向けて突出させて同軸接栓座２０ａ〜２０ｅを備え，前記本体における両端部には，前記本体が前記同軸接栓座の突出方向を前記本体を設置すべき面に並行配置するために対設された止着ねじ挿通用の第１及び第３の挿通孔２１、２３と，前記同軸接栓座の突出方向を前記本体を設置すべき面に直交配置するために対設された止着ねじ挿通用の第２の挿通孔２２を備えた本体と，前記本体を収納すると共に，前記同軸接栓座の頭部を貫通する大きさの透孔と，前記挿通孔の開口部に対向する位置に，前記止着ねじ挿通する大きさの透孔と，前記同軸接栓座の最も外側に配設された一方の同軸接栓座と該同軸接栓座と隣接する同軸接栓座との間の位置であって，前記同軸接栓座の配列方向に直交する平面上の全周面に亘る表示手段３と備えた化粧ケースと，から成る。【選択図】  図１
2006147497.tif 000002
【特許請求の範囲】
【請求項１】
本体の内部には伝送信号を分配するための回路手段を有し，本体の外壁には伝送経路を介して前記回路手段と他の機器に接続するための同軸接栓座を有する分岐及び分配器において，
前記本体は，
該本体の１つの面に前記同軸接栓座の軸線が並行配置されるように同じ方向を向けて突出するように同軸接栓座を備え，
前記本体における，前記同軸接栓座の配列方向に位置する両側面と，前記同軸接栓座の最も外側に配設された同軸接栓座と，の間における前記本体の両端部には，内周面に段部が設けられ，少なくとも，該段部に連設して前記止着ねじの挿脱方向側に形成された開口部から段部にかけて配設される大径部と，前記段部から前記設置すべき面に設置するための設置面側に形成された開口部にかけて配設される小径部とから構成された，前記本体が前記同軸接栓座の突出方向を前記本体を設置すべき面に止着ねじを用いて並行配置して固定するために夫々対設された止着ねじ挿通用の第１及び第３の挿通孔と，前記同軸接栓座の突出方向を前記本体を設置すべき面に止着ねじを用いて直交配置して固定するために対設された止着ねじ挿通用の第２の挿通孔であって，前記第１の挿通孔と前記第３の挿通孔は夫々の中心軸線を並列配置して，前記大径部と前記小径部の配列方向を対向するように配設されると共に，前記第１及び第２及び第３の挿通孔の中心軸線が，前記両端部における前記同軸接栓座の配列方向に直交する平面上に配設された止着ねじ挿通用の前記第１及び第２及び第３の挿通孔を備え，
前記同軸接栓座の最も外側に配設された一方の同軸接栓座と，該同軸接栓座と隣接する同軸接栓座との間の位置には，前記同軸接栓座の配列方向に直交する平面上に位置する前記本体の全周面にわたって表示手段を備え，
たことを特徴とした分岐及び分配器。
【請求項２】
本体の内部には伝送信号を分岐及び分配するための回路手段を有し，本体の外壁には伝送経路を介して前記回路手段と他の機器に接続するための同軸接栓座を有する分岐及び分配器において，
該分岐及び分配器は，
該本体の１つの面に前記同軸接栓座の軸線が並行配置されるように同じ方向を向けて突出するように同軸接栓座を備え，
前記本体における，前記同軸接栓座の配列方向に位置する両側面と，前記同軸接栓座の最も外側に配設された同軸接栓座と，の間における前記本体の両端部には，内周面に段部が設けられ，少なくとも，該段部に連設して前記止着ねじの挿脱方向側に形成された開口部から段部にかけて配設される大径部と，前記段部から前記設置すべき面に設置するための設置面側に形成された開口部にかけて配設される小径部とから構成された，前記本体が前記同軸接栓座の突出方向を前記本体を設置すべき面に止着ねじを用いて並行配置して固定するために対設された止着ねじ挿通用の第１及び第３の挿通孔と，前記同軸接栓座の突出方向を前記本体を設置すべき面に止着ねじを用いて直交配置して固定するために対設された止着ねじ挿通用の第２の挿通孔であって，前記第１の挿通孔と前記第３の挿通孔は夫々の中心軸線を並列配置して，前記大径部と前記小径部の配列方向を対向するように配設されると共に，前記第１及び第２及び第３の挿通孔の中心軸線が，前記両端部における前記同軸接栓座の配列方向に直交する平面上に配設された止着ねじ挿通用の前記第１及び第２及び第３の挿通孔を備えた本体と，
前記本体を収納すると共に，前記同軸接栓座の頭部を貫通する大きさの透孔と，前記挿通孔の開口部に対向する位置に，前記止着ねじ挿通する大きさの透孔と，前記同軸接栓座の最も外側に配設された一方の同軸接栓座と該同軸接栓座と隣接する同軸接栓座との間の位置であって，前記同軸接栓座の配列方向に直交する平面上に位置する全周面に形成した表示手段と備えた化粧ケースと，
から成ることを特徴とした分岐及び分配器。
【請求項３】
前記前記第１及び第２及び第３の挿通孔は，前記化粧ケースに収納した前記本体における，前記同軸接栓座の配列方向に位置する前記両側面と，該両側面と対向配置される前記化粧ケースの両側面との間における前記化粧ケースに形成したことを特徴とした請求項２に記載の分岐及び分配器。
【請求項４】
前記第１の挿通孔と前記第３の挿通孔は，夫々の中心軸線を並行配置して，前記大径部と前記小径部の配列方向を対向するように配設されると共に，前記第１の挿通孔と前記第２の挿通孔は夫々の中心軸線を直交配置して，該中心軸線の交点が前記第１の取付孔の大径部と前記第３の取付部の大径部に位置するように，前記両端部における前記同軸接栓座の配列方向に直交する平面上に配設したことを特徴とした請求項１乃至請求項３に記載の分岐及び分配器。
【発明の詳細な説明】
【技術分野】
【０００１】
本発明は，主にテレビ共同受信システムに利用される分岐及び分配器に関し，詳しくはその分岐及び分配器の構造に関する。
【背景技術】
【０００２】
従来の分岐及び分配器は，金属ケース内に分岐回路若しくは分配回路を収納させ，前記金属ケースを設置すべき壁面に取付けた場合に，この回路に接続された複数個の入出力接栓座を前記ケースの上面と下面となる外壁に突設されており，また，前記金属ケースの両側端部から背面に突出するように形成された取付板で前記壁面に取付けする構成となっていた。
（例えば，特許文献１参照）
【０００３】
【特許文献１】実開５８−５０７２４号公報
【発明の開示】
【発明が解決しようとする課題】
【０００４】
しかし，従来の分岐及び分配器によると，該分岐及び分配器を収容ボックス等の設置範囲が限られており，且つ，狭い場所に設置するような場合，入出力接栓座が上面と下面とに分かれて配設されているため，それぞれの接栓座に接続された同軸ケーブルを所定の方向に配設するためには，該同軸ケーブルの最小曲げ半径を考慮しながら曲げて配設する場合が生じ，分岐及び分配器の周辺には同軸ケーブルを曲げて配線するだけのスペースが必要となり，前記収容ボックスの設置面を占める割合が大きくなり，他の機器を取付けるスペースが狭くなるといった問題があった。
また地上ディジタル放送の開始，液晶やＰＤＰからなる薄型テレビ受信機の普及に伴い，テレビ端子からの信号を分配する分配器等は，テレビ受信機の背面等に置いておくだけでなく，テレビ背面やＡＶラック等に収納して，スッキリとした配線を望まれる場合が多くなり，従来の構成では設置が困難になるといった問題があった。
そこで本願においては，こうした問題点を解決するためになされたものであり，
その目的は，狭い場所でも取り付けの容易な分岐及び分配器を提供することにある。
他の目的は，配線方向を選択自在な分岐及び分配器を提供することにある。
他の目的は，安価で作業性のよい分岐及び分配器を提供することにある。
他の目的は，金型コストの安価であって，延いては製品コストの安価な汎用性の高い分岐及び分配器を提供することにある。
【課題を解決するための手段】
【０００５】
上記課題を解決するために，請求項１の発明は，本体の内部には伝送信号を分配するための回路手段を有し，本体の外壁には伝送経路を介して前記回路手段と他の機器に接続するための同軸接栓座を有する分岐及び分配器において，
前記本体は，該本体の１つの面に前記同軸接栓座の軸線が並行配置されるように同じ方向を向けて突出するように同軸接栓座を備え，前記本体における，前記同軸接栓座の配列方向に位置する両側面と，前記同軸接栓座の最も外側に配設された同軸接栓座と，の間における前記本体の両端部には，内周面に段部が設けられ，少なくとも，該段部に連設して前記止着ねじの挿脱方向側に形成された開口部から段部にかけて配設される大径部と，前記段部から前記設置すべき面に設置するための設置面側に形成された開口部にかけて配設される小径部とから構成された，前記本体が前記同軸接栓座の突出方向を前記本体を設置すべき面に止着ねじを用いて並行配置して固定するために夫々対設された止着ねじ挿通用の第１及び第３の挿通孔と，前記同軸接栓座の突出方向を前記本体を設置すべき面に止着ねじを用いて直交配置して固定するために対設された止着ねじ挿通用の第２の挿通孔であって，前記第１の挿通孔と前記第３の挿通孔は夫々の中心軸線を並列配置して，前記大径部と前記小径部の配列方向を対向するように配設されると共に，前記第１及び第２及び第３の挿通孔の中心軸線が，前記両端部における前記同軸接栓座の配列方向に直交する平面上に配設された止着ねじ挿通用の前記第１及び第２及び第３の挿通孔を備え，前記同軸接栓座の最も外側に配設された一方の同軸接栓座と，該同軸接栓座と隣接する同軸接栓座との間の位置には，前記同軸接栓座の配列方向に直交する平面上に位置する前記本体の全周面にわたって表示手段を備えるように構成される。
【０００６】
請求項２の発明は，本体の内部には伝送信号を分岐及び分配するための回路手段を有し，本体の外壁には伝送経路を介して前記回路手段と他の機器に接続するための同軸接栓座を有する分岐及び分岐及び分配器において，該分岐及び分配器は，該本体の１つの面に前記同軸接栓座の軸線が並行配置されるように同じ方向を向けて突出するように同軸接栓座を備え，前記本体における，前記同軸接栓座の配列方向に位置する両側面と，前記同軸接栓座の最も外側に配設された同軸接栓座と，の間における前記本体の両端部には，内周面に段部が設けられ，少なくとも，該段部に連設して前記止着ねじの挿脱方向側に形成された開口部から段部にかけて配設される大径部と，前記段部から前記設置すべき面に設置するための設置面側に形成された開口部にかけて配設される小径部とから構成された，前記本体が前記同軸接栓座の突出方向を前記本体を設置すべき面に止着ねじを用いて並行配置して固定するために対設された止着ねじ挿通用の第１及び第３の挿通孔と，前記同軸接栓座の突出方向を前記本体を設置すべき面に止着ねじを用いて直交配置して固定するために対設された止着ねじ挿通用の第２の挿通孔であって，前記第１の挿通孔と前記第３の挿通孔は夫々の中心軸線を並列配置して，前記大径部と前記小径部の配列方向を対向するように配設されると共に，前記第１及び第２及び第３の挿通孔の中心軸線が，前記両端部における前記同軸接栓座の配列方向に直交する平面上に配設された止着ねじ挿通用の前記第１及び第２及び第３の挿通孔を備えた本体と，前記本体を収納すると共に，前記同軸接栓座の頭部を貫通する大きさの透孔と，前記挿通孔の開口部に対向する位置に，前記止着ねじ挿通する大きさの透孔と，前記同軸接栓座の最も外側に配設された一方の同軸接栓座と該同軸接栓座と隣接する同軸接栓座との間の位置であって，前記同軸接栓座の配列方向に直交する平面上に位置する全周面に形成した表示手段と備えた化粧ケースと，から成るように構成される。
【０００７】
請求項３の発明は，請求項２に記載の分岐及び分配器において，前記前記第１及び第２及び第３の挿通孔は，前記化粧ケースに収納した前記本体における，前記同軸接栓座の配列方向に位置する前記両側面と，該両側面と対向配置される前記化粧ケースの両側面との間における前記化粧ケースに形成した。
【０００８】
請求項４の発明は，請求項１乃至請求項３に記載の分岐及び分配器において，前記第１の挿通孔と前記第３の挿通孔は，夫々の中心軸線を並行配置して，前記大径部と前記小径部の配列方向を対向するように配設されると共に，前記第１の挿通孔と前記第２の挿通孔は夫々の中心軸線を直交配置して，該中心軸線の交点が前記第１の取付孔の大径部と前記第３の取付部の大径部に位置するように，前記両端部における前記同軸接栓座の配列方向に直交する平面上に配設した。
【発明の効果】
【０００９】
請求項１の発明によれば，本体の内部には伝送信号を分配するための回路手段を有し，本体の外壁には伝送経路を介して前記回路手段と他の機器に接続するための同軸接栓座を有する分岐及び分配器において，
前記本体は，該本体の１つの面に前記同軸接栓座の軸線が並行配置されるように同じ方向を向けて突出するように同軸接栓座を備え，前記本体における，前記同軸接栓座の配列方向に位置する両側面と，前記同軸接栓座の最も外側に配設された同軸接栓座と，の間における前記本体の両端部には，内周面に段部が設けられ，少なくとも，該段部に連設して前記止着ねじの挿脱方向側に形成された開口部から段部にかけて配設される大径部と，前記段部から前記設置すべき面に設置するための設置面側に形成された開口部にかけて配設される小径部とから構成された，前記本体が前記同軸接栓座の突出方向を前記本体を設置すべき面に止着ねじを用いて並行配置して固定するために夫々対設された止着ねじ挿通用の第１及び第３の挿通孔と，前記同軸接栓座の突出方向を前記本体を設置すべき面に止着ねじを用いて直交配置して固定するために対設された止着ねじ挿通用の第２の挿通孔であって，前記第１の挿通孔と前記第３の挿通孔は夫々の中心軸線を並列配置して，前記大径部と前記小径部の配列方向を対向するように配設されると共に，前記第１及び第２及び第３の挿通孔の中心軸線が，前記両端部における前記同軸接栓座の配列方向に直交する平面上に配設された止着ねじ挿通用の前記第１及び第２及び第３の挿通孔を備え，前記同軸接栓座の最も外側に配設された一方の同軸接栓座と，該同軸接栓座と隣接する同軸接栓座との間の位置には，前記同軸接栓座の配列方向に直交する平面上に位置する前記本体の全周面にわたって表示手段を備えるように構成したので，
前記本体が前記同軸接栓座の突出方向を前記本体を設置すべき面に止着ねじを用いて並行配置して固定したり，前記同軸接栓座の突出方向を前記本体を設置すべき面に止着ねじを用いて直交配置して固定したりすることによって，設置場所の状態によって取り付け方向を選択的に選ぶことができ，例えば建築物の壁面の近傍であっても同軸接栓座に接続された同軸ケーブルの突出方向を壁面の反対方向にするように配線ができるし，ＡＶラックのように上下方向の間隔が狭く仕切られたような狭い場所であっても，壁面に対して直交する方向に同軸ケーブルが突出するように設置することによってすることによって，同軸ケーブルを無理な曲げ半径で配線することもなく配線が容易に且つ電気的特性に影響の無いように配線できる。更には，前記第１及び第２及び第３の挿通孔を相互に重合するように本体の両端部に効率よく配設したので，本体の長手方向の寸法を短く形成でき，延いては分岐及び分配器を小型化することができる。
更に前記同軸接栓座の最も外側に配設された一方の同軸接栓座と，該同軸接栓座と隣接する同軸接栓座との間の位置に，前記本体の全周面にわたって表示手段を備えさせたによって，設置の場所が暗い場所であっても狭い場所であっても，また，同軸接栓座の突出方向が取付面に並行配列した状態であっても，取付面に直交配置した状態であっても，常に同軸接栓座の最も外側に配設された一方の同軸接栓座の位置が特別に探ることなく指先で触れるだけで一瞬に判断できる。即ち，例えば２分配器，３分配器，４分配器に対して中央に位置する同軸接栓座を入力端子とすると，２分配器，４分配器を構成する本体の金型が違ったとしても出力端子が前記入力端子に対して対称位置に配設されることから，入力端子の識別が容易となるのであるが，３分配器に対しては金型の問題から前記４分配器用の本体を利用して構成することになり，この結果，出力端子の配列が出力端子に対して対象でなくなるので，入力端子の識別が難しくなるのであるが，本願の如く最も外側に配設された一方の同軸接栓座を入力端子と定め，その同軸接栓座と隣接する同軸接栓座との間に上述のような表示手段を備えさせることによって，何れの分配器であっても入力端子の位置は全機種共通とすることができ，視認が容易でない取付状態であっても取付けの容易性を損なわない分岐及び分配器を提供できるのである。
【００１０】
請求項２の発明によれば，本体の内部には伝送信号を分岐及び分配するための回路手段を有し，本体の外壁には伝送経路を介して前記回路手段と他の機器に接続するための同軸接栓座を有する分配器において，該分岐及び分配器は，該本体の１つの面に前記同軸接栓座の軸線が並行配置されるように同じ方向を向けて突出するように同軸接栓座を備え，前記本体における，前記同軸接栓座の配列方向に位置する両側面と，前記同軸接栓座の最も外側に配設された同軸接栓座と，の間における前記本体の両端部には，内周面に段部が設けられ，少なくとも，該段部に連設して前記止着ねじの挿脱方向側に形成された開口部から段部にかけて配設される大径部と，前記段部から前記設置すべき面に設置するための設置面側に形成された開口部にかけて配設される小径部とから構成された，前記本体が前記同軸接栓座の突出方向を前記本体を設置すべき面に止着ねじを用いて並行配置して固定するために対設された止着ねじ挿通用の第１及び第３の挿通孔と，前記同軸接栓座の突出方向を前記本体を設置すべき面に止着ねじを用いて直交配置して固定するために対設された止着ねじ挿通用の第２の挿通孔であって，前記第１の挿通孔と前記第３の挿通孔は夫々の中心軸線を並列配置して，前記大径部と前記小径部の配列方向を対向するように配設されると共に，前記第１及び第２及び第３の挿通孔の中心軸線が，前記両端部における前記同軸接栓座の配列方向に直交する平面上に配設された止着ねじ挿通用の前記第１及び第２及び第３の挿通孔を備えた本体と，前記本体を収納すると共に，前記同軸接栓座の頭部を貫通する大きさの透孔と，前記挿通孔の開口部に対向する位置に，前記止着ねじ挿通する大きさの透孔と，前記同軸接栓座の最も外側に配設された一方の同軸接栓座と該同軸接栓座と隣接する同軸接栓座との間の位置であって，前記同軸接栓座の配列方向に直交する平面上に位置する全周面に形成した表示手段と備えた化粧ケースと，から成るように構成したので，
前記効果に加えて，前記本体に塗装などの処理をする必要が無いのでコストが安価で，デザインの優れた分岐及び分配器を提供できる。
【００１１】
請求項３の発明によれば，請求項２に記載の分岐及び分配器において，前記前記第１及び第２及び第３の挿通孔は，前記化粧ケースに収納した前記本体における，前記同軸接栓座の配列方向に位置する前記両側面と，該両側面と対向配置される前記化粧ケースの両側面との間における前記化粧ケースに形成したので，
例えばアルミダイカスト等の金属材料で形成された本体の形状を小さくでき，小型で軽量化が可能である。延いては製品の小型軽量化ができるのである。
【００１２】
請求項４の発明によれば，請求項１乃至請求項３に記載の分岐及び分配器において，前記第１の挿通孔と前記第３の挿通孔は，夫々の中心軸線を並行配置して，前記大径部と前記小径部の配列方向を対向するように配設されると共に，前記第１の挿通孔と前記第２の挿通孔は夫々の中心軸線を直交配置して，該中心軸線の交点が前記第１の取付孔の大径部と前記第３の取付部の大径部に位置するように，前記両端部における前記同軸接栓座の配列方向に直交する平面上に配設したので，
例えば前記大径部の寸法は前記止着ねじのねじ頭の径よりやや大きく形成し，前記小径部は前記ねじ頭の径より小さく前記止着ねじのねじ部を挿通させるように形成し，前記挿通孔に止着ねじを挿通したときに，前記止着ねじのねじ頭が前記挿通孔に形成された段部を押圧することで本体を取付面に固定するように構成した場合であっても，前記止着ねじの締め付けに対して本体の強度が充分に得られる挿通孔の配設が行われた分岐及び分配器を提供できる。
【発明を実施するための最良の形態】
【００１３】
以下に，本発明を具体化した実施形態の例を，図面を基に詳細に説明する。
図１は本発明に係る分岐及び分配器の本体を示す斜視図である。図２（ａ）は図１に示すＡ−Ａ線方向から見たときの断面図を示し，（ｂ）は図１に示すＢ−Ｂ線方向から見た断面図を示す。図３は表示手段の配置を示す側面図である。図４は本発明に係る他の実施例の分岐及び分配器の斜視図を示す。図５は本発明に係る異なる実施例の分岐及び分配器の斜視図を示し，図６は図５におけるＣ−Ｃ線断面図である。図７は本発明の分岐及び分配器を使用したテレビ受信システムのシステム例を示す。
【実施例１】
【００１４】
図に示す１は本発明に係る分岐及び分配器であり，以下には説明を容易とするため特に明記しない限り分配器についての詳細を記載する。
この図１，２において，１０は本体であり，例えばアルミダイカストを金型で成形したものである。この本体１０は該本体１０の一端（本図によれば底面１１）を開口した箱状に形成されており。この開口部１１には，金属製材料（例えばアルミ材）を用いた蓋体９を圧入等で固着する構造として，蓋体９と本体１０とを強固に固着すると共に，外部からの妨害波等の侵入を低減するように構成されている。この本体１０の内部には分配回路が形成されたプリント基板５等からなる回路手段が収納されている。
また，この図に示す実施例では本体１０の側面１２（図１における上面）には，前記本体１０と一体に成形されたＦ型接栓座２０ａから２０ｅが，該接栓座の軸線が側面１２と直交する方向に突設されており，前記回路手段５と他の機器に接続できるように構成されている。尚，前記接栓座２０は本体１０の側面１２に圧着やカシメ等の手段によって固着しても良い。
このように同軸接栓座２０が全て同一方向を向いて形成されているので，金型構造が簡単となり，延いては製品のコストを安くすることができる。
【００１５】
前記本体１０における，前記同軸接栓座２０の配列方向に位置する両側の側面１３，１３と，前記同軸接栓座２０の最も外側に配設された同軸接栓座２０ａ，２０ｅと，の間における前記本体１０の両端部８，８には，前記本体１０が前記同軸接栓座２０の突出方向を前記本体１０を設置すべき面４０に並行配置させ，止着ねじ７，７を用いて固定するための夫々対設された止着ねじ挿通用の第１の挿通孔２１及び第３の挿通孔２３と，前記同軸接栓座２０の突出方向を前記本体１０を設置すべき面４０に直交配置させ，止着ねじ７，７を用いて固定するための対設された止着ねじ挿通用に対設された第２の挿通孔２２が形成されている。
これらの挿通孔の実施例は図２によく示されるように，前記第１の挿通孔２１の内周面には段部２１ａが設けられ，少なくとも，該段部２１ａに連設して前記止着ねじの挿脱方向側の側面１４に形成された開口部１４ａから段部２１ａにかけて配設される大径部４１ａと，前記段部２１ａから前記設置すべき面に設置するための設置面１５側に形成された開口部１５ａにかけて配設される小径部４１ｂとから構成されている。
また，前記第３の挿通孔２３は，内周面に段部２３ａが設けられ，少なくとも，該段部２３ａに連設して前記止着ねじの挿脱方向側の側面１５に形成された開口部１５ｂから段部２３ａにかけて配設される大径部４３ａと，前記段部２３ａから前記設置すべき面に設置するための設置面１４側に形成された開口部１４ｂにかけて配設される小径部４３ｂとから構成されており，前記第１の挿通孔２１と第３の挿通孔２３における大径部４１ａと４３ａ，小径部４１ｂと４３ｂとの配列方向が相互に対向するように夫々の中心軸線を並列配置させてある。
【００１６】
更に，前記第２の挿通孔２２は，内周面に段部２２ａが設けられ，少なくとも，該段部２２ａに連設して前記止着ねじの挿脱方向側の側面１２に形成された開口部１２ａから段部２２ａにかけて配設される大径部４２ａと，前記段部２２ａから前記設置すべき面に設置するための設置面１１側に形成された開口部１１ａにかけて配設される小径部４２ｂとから構成されており，この第２の挿通孔２２の中心軸線と前記第１の挿通孔２１及び前記第３の挿通孔２３の中心軸線とは直交配置されると共に，前記第１及び第２及び第３の挿通孔の中心軸線は，前記両端部８における前記同軸接栓座の配列方向に直交する平面上に配設するように形成されている。
このように前記挿通孔を形成することによって，該挿通孔を形成するのに必要なスペースを最少にすることができるので，本体１０の長手方向の寸法を小さくすることができるのである。
加えて，本願の実施例に示すように，例えば前記大径部４１ａ，４２ａ，４３ａの寸法は前記止着ねじ７のねじ頭の径よりやや大きく形成し，前記小径部４１ｂ，４２ｂ，４３ｂは前記ねじ頭の径より小さく前記止着ねじのねじ部を挿通させるように形成し，前記挿通孔に止着ねじを挿通して該止着ねじを取付面に螺着することによって，本体を取付面に固定するように構成すれば，前記止着ねじの寸法を短くできるし，止着ねじが本体周面から突出しないので美観を損なうことがないのである。
尚，前記小径部の内面に突片を形成しておいて，該突片に前記止着ねじ７，７を予め（出荷の状態で）螺着された状態にあるようにすれば利便性が更に良くなる。
【００１７】
更に加えて，このような挿通孔内部の段部を止着ねじで締め付けるように構成した場合は，前記段部と取付面との間に介在する本体部分の構造体が前記止着ねじの締め付けに対して充分な強度が得られなければならない。そこで本願の実施例においては，前記第１の挿通孔２１と前記第２の挿通孔２２は夫々の中心軸線を直交配置して，該中心軸線の交点が前記第１の挿通孔２１の大径部４１ａと前記第３の挿通孔２３の大径部４３ａに位置するように，挿通孔を重合し且つ同一平面上に配設する用に構成することによって，前記本体１０が前記同軸接栓座２０の突出方向を前記本体１０を設置すべき面に止着ねじを用いて並行配置して固定した場合であっても，前記同軸接栓座２０の突出方向を前記本体１０を設置すべき面に止着ねじを用いて直交配置して固定した場合であっても，段部に止着ねじを取付けた時の挿通孔の強度が得られる配置となるので，本体１０の取付面に対する取付強度を強く保てる分配器１を提供できるのである。
【００１８】
次に表示手段３について説明する。本願の実施例では前記同軸接栓座２０の最も外側に配設された一方の同軸接栓座２０ａと，該同軸接栓座２０ａと隣接する同軸接栓座２０ｂとの間の位置であって，同軸接栓座２０の配列方向に直交する平面上となる位置の前記本体１０の全周面にわたって一体的に形成された凹部３から成る。この表示手段３によれば，設置の場所が暗い場所であっても狭い場所であっても，また，同軸接栓座２０の突出方向が取付面に並行配列した状態であっても，取付面に直交配置した状態であっても，常に同軸接栓座２０の最も外側に配設された一方の同軸接栓座２０ａの位置を，特別に探ることなく指先で触れるだけで一瞬に判断できるのである。即ち，例えば２分配器，３分配器，４分配器等に対して中央に位置する同軸接栓座２０ａを入力端子とすると，２分配器，４分配器を構成する本体の金型が違ったとしても出力端子が前記入力端子に対して対称位置に配設されることから，入力端子の識別が容易となるのである。ところが３分配器を作る場合，３分配器は前記４分配器用の本体を利用して構成することが金型の制作費の削減の面からよい。この結果，出力端子の配列が出力端子に対して対称でなくなるので，入力端子の識別が難しくなるのである。そこで図３に良く示されるように，本願の如く最も外側に配設された一方の同軸接栓座２０ａを入力端子と定め，その同軸接栓座２０ａと隣接する同軸接栓座２０ｂとの間に上述のような表示手段３を備えさせることによって，何れの分岐器及び分配器１であっても入力端子の位置は全機種共通とすることができ，且つ，視認が容易でない取付状態であっても，取付けの方向がどちらを向いていても，識別の容易性を損なわない分岐及び分配器１を提供できるのである。
尚，分岐器の場合は最も外側にある他方の同軸接栓座を出力端子と規定すれば同様の効果が得られる。
【００１９】
図４，５に本発明の分配器１の異なる実施例示す。図４の実施例においては前記第１の実施例の本体１０には，該本体１０を収納すると共に，前記同軸接栓座２０の頭部を貫通する図示されていない大きさの透孔と，側面３２，３３，３４及び図示されていない側面３１（所謂，底面），３５（後面）における前記各挿通孔の開口部に対向する位置に，前記止着ねじ挿通する大きさの透孔３２ａ・３２ａ，３４ａ・３４ａ，３４ｂ・３４ｂ及び図示されていない３１ａ・３１ａ，３５ａ・３５ａ，３５ｂ・３５ｂと，前記同軸接栓座２０の最も外側に配設された一方の同軸接栓座２０ａと，該同軸接栓座２０ａと隣接する同軸接栓座２０ｂとの間の位置であって，前記同軸接栓座２０の配列方向に直交する平面上に位置するように本体１０の全周面に形成した表示手段３と備えた化粧ケース２を備えた例を示す。
この化粧ケース２は合成樹脂材を用いて金型成型したものであり，前記本体２を上カバー３７と下カバー３９とで収納するように分割して成形したものである。
このように本体１０を覆うように化粧ケース２を備えさせることによって，前記本体１０にコストがかかる塗装などの処理をする必要が無いので，コストが安価でデザインに特長をもたせた優れた分岐及び分配器１を提供できる。
更に図５，６に示すように前記前記第１及び第２及び第３の挿通孔２１，２２，２３を，前記化粧ケース２に収納した前記本体１０における，前記同軸接栓座２０の配列方向に位置する前記両側面８，８と，該両側面８，８と対向配置される前記化粧ケース２の両側面３３，３３との間における前記化粧ケース２の両端部３８，３８に形成すれば，例えばアルミダイカスト等の金属材料で形成された本体１０には挿通孔を形成するスペースを必要としないので，本体１０の形状を小さくでき本体１０の小型・軽量化が可能であリ，延いては製品の小型軽量化ができるのである。
更に，化粧ケース２の前記接栓座２０の周縁部には，該接栓座に対して同心形状と成るように本体１０の内部方向に凹ませた凹部２５を形成することによって，該凹部２５に，前記接栓座２０に取り付けられる図示されていないコネクタ栓等に備えた前記接栓座を収納するための筒状に形成された接栓座収容部を収納させることによって，コネクタ栓が本体１０から突出する寸法を小さくするように構成することによって省スペース化が図れるのである。
【００２０】
次に本発明の分配器をテレビ受信システムにおいて使用した例を説明する。
図７（ａ）は本発明の分波器１の本体１０を例えばテレビ受信器等の背面に配設した例を示す。
テレビ端子５６から同軸ケーブルを介して引き込まれたテレビ信号は，分配器１に入力される。この分配器は４分配器であり，出力端子の内の３つは，テレビ受信機５０に具備された地上ディジタル放送信号の入力端子５１と，ＶＨＦ放送信号と地上アナログ放送信号の入力端子５２と，ＢＳ／ＣＳ衛星放送信号の入力端子とにそれぞれ同軸ケーブルを介して供給される。
出力端子の残りの１つには分波器５５が接続されている。この分波器５５は，ＶＨＦ及びＵＨＦ信号とＢＳ／ＣＳ信号とを分波して出力するものであり，この分波器５５の出力は同軸ケーブルを介して，例えばＶＴＲ６０のＶＵ入力端子６０ａとＢＳ／ＣＳ入力端子に入力されている。尚６５はＤＶＤレコーダー等である。
図７（ｂ）は分配器１をＡＶラック等に収納する場合を示している。この実施例は高さ方向に制限のあるＡＶラックに効率よく分配器を配設する例を示しており，ＡＶラックの側面を取付面４０として，分配器１の接栓座を取付面に直交する方向に対応させて取り付けることにより，狭い場所にも容易に配設することができるのである。
【００２１】
このように本発明の分岐及び分配器１によれば，接栓座２０の取り付け方向を本体１０の一側面１２側に形成し，且つ，接栓座２０の方向を取付面４０に直交する方向に配設したり，接栓座２０の方向を取付面４０に並行配置する方向に配設したり選択自在に設置することができるので，該分岐及び分配器１を取付ける取付面４０が狭くて，壁面や障害物等が近接している場合であっても，設置場所に合わせて配設可能な汎用性の高い分岐及び分配器１を提供できる。そして更に加えて本願の如く最も外側に配設された一方の同軸接栓座２０ａを入力端子と定め，その同軸接栓座２０ａと隣接する同軸接栓座２０ｂとの間に上述のような表示手段３を備えさせることによって，分岐及び分配数が幾つの分岐及び分配器１であっても入力端子の位置は全機種共通とすることができ，且つ，視認が容易でない取付状態であっても，取付けの方向がどちらを向いていても，前記表示手段３が本体若しくは化粧ケース２の周面の全周にわたって形成されているので，端子の識別の容易性を損なわない分岐及び分配器１を提供できるのである。
尚，本発明は上記実施の形態に限定されるものではなく，本発明の趣旨を逸脱しない範囲で各部の構成を適宜に変更して実施することも可能である。
【図面の簡単な説明】
【００２２】
【図１】本発明に係る分岐及び分配器の本体を示す斜視図である。
【図２】（ａ）は図１におけるＡ−Ａ線断面図であり，（ｂ）は図１におけるＢ−Ｂ線断面図である。
【図３】表示手段の配置を示す側面図である。
【図４】本発明に係る分岐及び分配器の異なる実施例を示す斜視図である。
【図５】本発明に係る分岐及び分配器の異なる実施例を示す斜視図である。
【図６】図４におけるＣ−Ｃ線断面図である。
【図７】本発明の分岐及び分配器を使用したテレビ受信システムのシステム例を示す。
【符号の説明】
【００２３】
１…分配器（分岐器），２…化粧ケース，３…表示手段，５…プリント基板，７…止着ねじ，８…両端部，９…蓋体，１０…本体，１１…底面，１１ａ…開口部，１２…側面，１２ａ…開口部，１３…側面，１４…側面，１４ａ…開口部，１５…設置面，１５ａ…開口部，２０ａ〜２０ｅ…同軸接栓座，２１…第１の挿通孔，２１ａ…段部，２２…第２の挿通孔，２２ａ…段部，２３…第３の挿通孔，２３ａ…段部，２５…凹部，３１…化粧ケースの底面，３１ａ…化粧ケースの開口部，３２…化粧ケースの側面，３２ａ…化粧ケースの開口部，３３…化粧ケースの側面，３４…化粧ケースの側面，３４ａ…化粧ケースの開口部，３５…化粧ケースの設置面，３５ａ…化粧ケースの開口部，３８…化粧ケースの両端部，３９…化粧ケースの蓋体，４０…取付面，４１ａ…大径部，４１ｂ…小径部，４２ａ…大径部，４２ｂ…小径部，４３ａ…大径部，４３ｂ…小径部，５０…テレビ受信機，５１…地上ディジタル放送信号入力端子，５２…ＶＨＦ／ＵＨＦ入力端子，５３…ＢＳ／ＣＳ入力端子，５５…ＶＵ／ＢＳ（ＣＳ）分波器，５６…テレビ端子，６０…ＶＴＲ，６０ａ…ＶＵ入力端子，６０ｂ…ＢＳ／ＣＳ入力端子，６５…ＤＶＤレコーダー，
【図１】
2006147497.tif 000003
【図２】
2006147497.tif 000004
【図３】
2006147497.tif 000005
【図４】
2006147497.tif 000006
【図５】
2006147497.tif 000007
【図６】
2006147497.tif 000008
【図７】
2006147497.tif 000009
【手続補正書】
【提出日】平成17年7月13日(2005.7.13)
【手続補正１】
【補正対象書類名】特許請求の範囲
【補正対象項目名】全文
【補正方法】変更
【補正の内容】
【特許請求の範囲】
【請求項１】
本体の内部には伝送信号を分配するための回路手段を有し，本体の外壁には伝送経路を介して前記回路手段と他の機器に接続するための同軸接栓座を有する分岐及び分配器において，
前記本体は，
該本体の１つの面に前記同軸接栓座の軸線が並行配置されるように同じ方向を向けて突出するように同軸接栓座を備え，
前記本体における，前記同軸接栓座の配列方向に位置する両側面と，前記同軸接栓座の最も外側に配設された同軸接栓座と，の間における前記本体の両端部には，内周面に段部が設けられ，少なくとも，該段部に連設して前記止着ねじの挿脱方向側に形成された開口部から段部にかけて配設される大径部と，前記段部から前記設置すべき面に設置するための設置面側に形成された開口部にかけて配設される小径部とから構成された，前記本体が前記同軸接栓座の突出方向を前記本体を設置すべき面に止着ねじを用いて並行配置して固定するために夫々対設された止着ねじ挿通用の第１及び第３の挿通孔と，前記同軸接栓座の突出方向を前記本体を設置すべき面に止着ねじを用いて直交配置して固定するために対設された止着ねじ挿通用の第２の挿通孔であって，前記第１の挿通孔と前記第３の挿通孔は夫々の中心軸線を並列配置して，前記大径部と前記小径部の配列方向を対向するように配設されると共に，前記第１及び第２及び第３の挿通孔の中心軸線が，前記両端部における前記同軸接栓座の配列方向に直交する平面上に配設された止着ねじ挿通用の前記第１及び第２及び第３の挿通孔を備え，
前記同軸接栓座の最も外側に配設された一方の同軸接栓座と，該同軸接栓座と隣接する同軸接栓座との間の周面に表示手段を備えたことを特徴とした分岐及び分配器。
【請求項２】
本体の内部には伝送信号を分岐及び分配するための回路手段を有し，本体の外壁には伝送経路を介して前記回路手段と他の機器に接続するための同軸接栓座を有する分岐及び分配器において，
該分岐及び分配器は，
該本体の１つの面に前記同軸接栓座の軸線が並行配置されるように同じ方向を向けて突出するように同軸接栓座を備え，
前記本体における，前記同軸接栓座の配列方向に位置する両側面と，前記同軸接栓座の最も外側に配設された同軸接栓座と，の間における前記本体の両端部には，内周面に段部が設けられ，少なくとも，該段部に連設して前記止着ねじの挿脱方向側に形成された開口部から段部にかけて配設される大径部と，前記段部から前記設置すべき面に設置するための設置面側に形成された開口部にかけて配設される小径部とから構成された，前記本体が前記同軸接栓座の突出方向を前記本体を設置すべき面に止着ねじを用いて並行配置して固定するために対設された止着ねじ挿通用の第１及び第３の挿通孔と，前記同軸接栓座の突出方向を前記本体を設置すべき面に止着ねじを用いて直交配置して固定するために対設された止着ねじ挿通用の第２の挿通孔であって，前記第１の挿通孔と前記第３の挿通孔は夫々の中心軸線を並列配置して，前記大径部と前記小径部の配列方向を対向するように配設されると共に，前記第１及び第２及び第３の挿通孔の中心軸線が，前記両端部における前記同軸接栓座の配列方向に直交する平面上に配設された止着ねじ挿通用の前記第１及び第２及び第３の挿通孔を備えた本体と，
前記本体を収納すると共に，前記同軸接栓座の頭部を貫通する大きさの透孔と，前記挿通孔の開口部に対向する位置に，前記止着ねじ挿通する大きさの透孔と，前記同軸接栓座の最も外側に配設された一方の同軸接栓座と該同軸接栓座と隣接する同軸接栓座との間の周面に形成した表示手段と備えた化粧ケースとから成ることを特徴とした分岐及び分配器。
【請求項３】
前記前記第１及び第２及び第３の挿通孔は，前記化粧ケースに収納した前記本体における，前記同軸接栓座の配列方向に位置する前記両側面と，該両側面と対向配置される前記化粧ケースの両側面との間における前記化粧ケースに形成したことを特徴とした請求項２に記載の分岐及び分配器。
【請求項４】
前記第１の挿通孔と前記第３の挿通孔は，夫々の中心軸線を並行配置して，前記大径部と前記小径部の配列方向を対向するように配設されると共に，前記第１の挿通孔と前記第２の挿通孔は夫々の中心軸線を直交配置して，該中心軸線の交点が前記第１の取付孔の大径部と前記第３の取付部の大径部に位置するように，前記両端部における前記同軸接栓座の配列方向に直交する平面上に配設したことを特徴とした請求項１乃至請求項３に記載の分岐及び分配器。